(57)【要約】      （修正有）【課題】屋外壁面に取り付けられる屋外用照明器具において、器具上面だけでなく器具側面に掛かった雨水も壁面から離して落とし、壁面への雨だれ付着防止効果を高める。【解決手段】屋外用照明器具は、壁面Ｗ１に埋め込まれた埋込部１１と壁面Ｗ１から露出した露出部１２とを有し、露出部１２下面の埋込部１１との境界付近から延出し下方へ進むに連れて壁面Ｗ１から離れる水切り部１７を備える。水切り部１７は、露出部１２から落下し又は垂れる水滴を受けて壁面Ｗ１から離して落とす。露出部１２に雨水が掛かった場合、水切り部１７は、露出部１２から落下し又は垂れる雨水を受けて壁面Ｗ１から離して落とすことができるので、壁面Ｗ１への雨だれ付着防止効果を高めることができる。【選択図】図１
2010170745.tif 000002
【特許請求の範囲】
【請求項１】
屋外壁面に取り付けられ、該壁面に埋め込まれた埋込部と壁面から露出した露出部とを有する屋外用照明器具において、
前記露出部下面の埋込部との境界付近から延出し、下方へ進むに連れて壁面から離れる水切り部を備え、
前記水切り部は、前記露出部から落下し又は垂れる水滴を受けて壁面から離して落とすことを特徴とする屋外用照明器具。
【請求項２】
前記露出部の下面には、該露出部内に浸入した水を抜くための水抜き孔が設けられ、
前記水抜き孔には、前記露出部と水切り部とを係合する係合部材が通されており、
前記係合部材は、導水孔としての貫通孔を有する筒体であることを特徴とする請求項１に記載の屋外用照明器具。
【請求項３】
前記水抜き孔から露出部内に突出する係合部材の端部には、切り欠き部が形成されており、露出部内に浸入した水は該係合部材の切り欠き部を通って貫通孔に流れ込むことを特徴とする請求項２に記載の屋外用照明器具。
【発明の詳細な説明】
【技術分野】
【０００１】
本発明は、屋外壁面に取り付けられる屋外用照明器具に関する。
【背景技術】
【０００２】
従来のこの種の屋外用照明器具（以下、照明器具という）を図１０及び図１１に示す。照明器具１００は、建物等の屋外壁面Ｗ１に取り付けられていて、器具表面に土埃等が付着し易く、雨水が掛かると、雨水は土埃等を含み、照明器具１００から落ちて風の影響で壁面Ｗ１に付着したり、壁面Ｗ１に垂れたりする。その結果、照明器具１００の下側の壁面Ｗ１に、土埃等が流れた跡である雨だれＳ１が残り、壁面Ｗ１が汚れる。
【０００３】
そこで、土埃等が多く付着する器具上面を、周縁から中心に向かって傾斜させ、かつ壁面側から先端方向に向かって傾斜させることで、器具上面に掛かった雨水を壁面から離して落とす照明器具が知られている（例えば、特許文献１参照）。
【０００４】
上記照明器具によれば、壁面への雨だれの付着を多少は防止することができるが、土埃等は器具側面にも付着し、雨水は風等の影響で斜め上方から器具側面にも掛かるので、器具側面の土埃等を含んで器具から落ちて壁面に付き、雨だれが壁面に残る虞がある。
【先行技術文献】
【特許文献】
【０００５】
【特許文献１】特開平６−３０９９０８号公報
【発明の概要】
【発明が解決しようとする課題】
【０００６】
本発明は、上記の従来の問題を解決するためになされたものであり、屋外壁面に取り付けられる屋外用照明器具において、器具上面だけでなく器具側面に掛かった雨水も壁面から離して落とすことができるようにすることで、壁面への雨だれ付着防止効果を高めることができる屋外用照明器具を提供することを目的とする。
【課題を解決するための手段】
【０００７】
上記目的を達成するために請求項１の発明は、屋外壁面に取り付けられ、該壁面に埋め込まれた埋込部と壁面から露出した露出部とを有する屋外用照明器具において、前記露出部下面の埋込部との境界付近から延出し、下方へ進むに連れて壁面から離れる水切り部を備え、前記水切り部は、前記露出部から落下し又は垂れる水滴を受けて壁面から離して落とすものである。
【０００８】
請求項２の発明は、請求項１に記載の屋外用照明器具において、前記露出部の下面には、該露出部内に浸入した水を抜くための水抜き孔が設けられ、前記水抜き孔には、前記露出部と水切り部とを係合する係合部材が通されており、前記係合部材は、導水孔としての貫通孔を有する筒体である。
【０００９】
請求項３の発明は、請求項２に記載の屋外用照明器具において、前記水抜き孔から露出部内に突出する係合部材の端部には、切り欠き部が形成されており、露出部内に浸入した水は該係合部材の切り欠き部を通って貫通孔に流れ込むものである。
【発明の効果】
【００１０】
請求項１の発明によれば、水切り部は、露出部に掛かり露出部から落下し又は垂れる雨水を受けて壁面から離して落とすことができるので、壁面への雨だれ付着防止効果を高めることができる。
【００１１】
請求項２の発明によれば、露出部の水抜き孔に係合部材を通すだけで、露出部と水切り部とを係合させることができるので、露出部への水切り部の後付けが容易となる。しかも、水抜き孔に通した係合部材は貫通孔を有するので、貫通孔から排水することができ、水抜き機能を担保することができる。
【００１２】
請求項３の発明によれば、露出部内に浸入した水は切り欠き部を通って係合部材の貫通孔へ流れ込むことができるので、水が貫通孔へと流れ込み易くなり、露出部内の水が抜け易くなる。
【図面の簡単な説明】
【００１３】
【図１】本発明の第１の実施形態に係る屋外用照明器具の斜視図。
【図２】上記器具の分解斜視図。
【図３】上記器具の分解側面図。
【図４】上記器具の側面図。
【図５】上記器具の作用を説明するための斜視図。
【図６】（ａ）は上記実施形態の一変形例に係る屋外用照明器具の斜視図、（ｂ）はその側面図。
【図７】（ａ）は本発明の第２の実施形態に係る屋外用照明器具の分解斜視図、（ｂ）はその分解断面図。
【図８】上記器具のボルトの斜視図。
【図９】上記器具のボルト装着時の状態を示す斜視図。
【図１０】従来の屋外用照明器具の設置例を示す斜視図。
【図１１】従来の屋外用照明器具の使用時に屋外壁面に付く雨だれを示す斜視図。
【発明を実施するための形態】
【００１４】
以下、本発明の各種実施の形態に係る屋外用照明器具（以下、照明器具という）について図面を参照して説明する。
（第１の実施形態）
図１乃至図５は、本発明の第１の実施形態に係る照明器具を示す。本実施形態の照明器具１は、図１に示すように、屋外壁面（以下、壁面という）Ｗ１に取り付けられており、壁面Ｗ１の埋込穴に埋め込まれた埋込部１１と壁面Ｗ１から露出した露出部１２とを有する。埋込部１１は光源及びその点灯回路を含む。露出部１２は、光源からの光を通す透光板１３と、透光板１３の周縁を囲う枠状のカバー１４と、カバー１４を壁面Ｗ１から離して固定するためカバー１４と壁面Ｗ１との間に配置される薄い板状の台座１５と、を含む。カバー１４及び台座１５の形状は正面視で略矩形状とし、台座１５の大きさはカバー１４よりも大きくする。カバー１４及び台座１５はカバー１４の上から螺入されるネジ１６により壁面Ｗ１に固定されている。カバー１４と台座１５、及び台座１５と壁面Ｗ１とは、内部への水の浸入を防ぐため密着していることが望ましい。台座１５の厚さは例えば数［ｍｍ］程度とする。カバー１４及び台座１５の形状、大きさ、厚みは上記に限定されない。
【００１５】
照明器具１は、露出部１２下面の埋込部１１との境界付近から延出した水切り部１７を備える。水切り部１７は、カバー１４下面と台座１５との境界付近から下方に延出している。水切り部１７は、露出部１２から所定の長さだけ下方へ略垂直に延び、下方にさらに進むに連れて壁面Ｗ１から離れて斜め下方に延びており、受けた水を横から落とさないように両側端に壁が設けられている。水切り部１７は横方向の寸法がカバー１４よりも広く、台座１５と略同じである。水切り部１７の材料は、特に限定されず、例えば金属又は樹脂でよい。
【００１６】
図２乃至図４に示されるように、カバー１４は断面視で略コの字状である。台座１５は、カバー１４の開口１４ａに対応した形状の開口１５ａを有する。壁面Ｗ１内に埋設された光源からの光は、この開口１５ａを通って、カバー１４の開口１４ａから放射される。台座１５の下端部には段差１５ｂが設けられている。カバー１４及び台座１５には、それぞれ、ネジ１６を貫通させる孔１４ｂ、１５ｃが設けられており、カバー１４と台座１５とはネジ１６により壁面Ｗ１に固定される。
【００１７】
水切り部１７において露出部１２から下方に略垂直に延びる部分を背面部１７ａという。この背面部１７ａ前面の上端には、水切り部１７をカバー１４に引っ掛けるための引っ掛け部１７ｂが形成されている。引っ掛け部１７ｂは、水切り部１７の背面部１７ａの上端から前方に突出しており、所定の長さに亘って背面部１７ａの上端に連なって形成されている。引っ掛け部１７ｂの横方向の寸法は、例えばカバー１４のそれと略同じとする。段差１５ｂの奥行きは水切り部１７の背面部１７ａの厚みと略同じとしている。
【００１８】
水切り部１７の引っ掛け部１７ｂはカバー１４の下部に内側から引っ掛けられており、水切り部１７の背面部１７ａの上端部はカバー１４の下端と台座１５の下端とで挟まれて保持されている。水切り部１７の上端部は段差１５ｂに嵌まっており、水切り部１７の背面部１７ａ前面と台座１５前面との間には段差が殆んどない。水切り部１７の斜め下方に延びた先端１７ｃの壁面Ｗ１からの高さは、カバー１４前面と略同じとしている。
【００１９】
上記のように構成された本実施形態の照明器具１においては、図５に示されるように、水切り部１７が、カバー１４から下方に落下する水滴Ｌ１（流れを矢印で示す）、又はカバー１４若しくは台座１５から垂れる水滴を受け、それらを壁面Ｗ１から離して落とす。このため、たとえ器具表面に土埃等が付着し、雨水が直接又は壁面Ｗ１を伝って照明器具１に掛かったとしても、土埃等を含んだ雨水を受けて壁面Ｗ１から離して落とすことができる。従って、壁面Ｗ１への雨だれ付着防止効果を高めることができる。
【００２０】
また、台座１５の前面と水切り部１７の前面との間には殆んど段差がないので、台座１５の前面を伝って落ちる水が水切り部１７との段差によって水切り部１７の外側へ流れることを防ぎ、壁面Ｗ１を伝うことを防止できる。このため、雨だれ付着防止効果をさらに高めることができる。
【００２１】
また、露出部１２として透光板１３とカバー１４だけが既設の場合、それらを壁面Ｗ１から一旦外してから、カバー１４の下部に内側から水切り部１７を引っ掛けて、カバー１４と壁面Ｗ１との間に台座を配置させ、再度これらを壁面Ｗ１に取り付けるだけで、水切り部１７を装着することができる。このため、水切り部１７の後付け作業が容易となる。
【００２２】
（第１の実施形態の一変形例）
図６（ａ）（ｂ）は、本実施形態の一変形例に係る照明器具の構成を示す。本変形例の照明器具１の構成は、上記実施形態と比べ、水切り部１７の形状が異なる。上記実施形態では、水切り部１７の先端１７ｃの壁面Ｗ１からの高さがカバー１４の前面と略同じであったが、本変形例では、その高さがカバー１４の前面よりも高く、水切り部１７の先端１７ｃがカバー１４よりも前方に出ている。本変形例の水切り部１７によれば、上記実施形態と比べて、受けた水を壁面Ｗ１からさらに離して落とすことができる。従って、壁面Ｗ１への雨だれ付着防止効果をさらに高めることができる。
【００２３】
（第２の実施形態）
図７（ａ）（ｂ）は、本発明の第２の実施形態に係る照明器具の構成を示す。本実施形態の照明器具１の露出部１２は、上記第１の実施形態の透光板１３とカバー１４の替わりとして、埋込穴に合わせて壁面に取り付けられる、前面及び背面が開口した角筒状の枠体１８と、枠体１８の前面開口に嵌挿され、その前面開口を塞ぐ略立方体状のグローブ１９とを含む。枠体１８の下面には、枠体１８又はグローブ１９内に浸入した水を抜くための水抜き孔１８ａが設けられている。枠体１８の壁面への取り付け方法は特に限定されず、また枠体１８及びグローブ１９の形状は上記に限定されない。
【００２４】
本実施形態の水切り部１７の上端には、前方に延びた突出片２０が形成されており、突出片２０には、枠体１８の水抜き孔１８ａと略同形状の孔２０ａが、水抜き孔１８ａと重なる位置に設けられている。水抜き孔１８ａと孔２０ａとには、枠体１８と水切り部１７とを係合するボルト２１（係合部材を構成）が枠体１８側から通され、ボルト２１にはナット２２（係合部材を構成）が螺合される。ボルト２１は、中空であり、軸方向に貫通した貫通孔２１ａを有する円筒体である。ボルト２１は、その頭部２１ｂとナット２２とでもって枠体１８と突出片２０とを挟み、これにより、枠体１８と水切り部１７とは係合され、固定される。ボルト２１の長さは、枠体１８と水切り部１７の突出片２０とをナット２２との間で挟んで固定できる長さであればよい。
【００２５】
図８及び図９は、それぞれ、ボルト２１の外観、及びボルト２１を枠体１８と突出片２０とに通した状態を示す。ボルト２１には、貫通孔２１ａが形成されているだけでなく、その頭部２１ｂに、すなわち、水抜き孔１８ａから枠体１８内に突出するボルト２１の端部に、切り欠き部２１ｃが形成されている。切り欠き部２１ｃは、貫通孔２１ａから頭部２１ｂ外周へ向かって切り欠きされており、その数は例えば４個とするが、これに限定されない。
【００２６】
ボルト２１の頭部２１ｂの切り欠き部２１ｃが形成されている箇所は、枠体１８の内底面との段差が殆んど無い。その箇所は枠体１８の内底面以下の高さであってもよい。枠体１８内に浸入した水Ｌ２は、ボルト２１の切り欠き部２１ｃを通って貫通孔２１ａに流れ込み、貫通孔２１ａから水切り部１７の上に排水される。
【００２７】
本実施形態においては、枠体１８の水抜き孔１８ａと水切り部１７の突出片２０の孔２０ａとの間にボルト２１を通し、ボルト２１にナット２２を螺合するだけで、枠体１８と水切り部１７とを挟んで固定することができる。このため、枠体１８への水切り部１７の後付けが容易となる。しかも、ボルト２１を水抜き孔１８ａに通しても、ボルト２１は導水孔としての貫通孔２１ａを有するので、その貫通孔２１ａからの排水が可能であり、水抜き機能を担保することができる。
【００２８】
また、水抜き孔１８ａから枠体１８内に突出するボルト２１の頭部２１ｂには切り欠き部２１ｃが形成されているので、枠体１８内に浸入した水Ｌ２は切り欠き部２１ｃを通って貫通孔２１ａへ流れ込むことができる。従って、水が貫通孔２１ａへと流れ込み易くなり、その結果、枠体１８内の水が抜け易くなる。
【００２９】
なお、本発明は、上記の各種実施形態及び変形例の構成に限定されるものでなく、使用目的に応じ、様々な変形が可能である。例えば、第１の実施形態において、台座１５が設けられずに、水切り部１７はカバー１４下面にネジ等で固定されていても、又は水切り部１７はカバー１４と一体に形成されていてもよい。また、水切り部１７は、露出部１２から下方へ略垂直に延びることなく、斜め下方に延びていてもよい。
【符号の説明】
【００３０】
１  屋外用照明器具
１１  埋込部
１２  露出部
１３  透光板
１４  カバー
１５  台座
１７  水切り部
１８  枠体
１８ａ  水抜き孔
１９  グローブ
２１  ボルト（係合部材を構成）
２１ａ  貫通孔
２１ｂ  頭部（係合部材の端部）
２１ｃ  切り欠き部
２２  ナット（係合部材を構成）
Ｌ１  水滴
Ｌ２  枠体内に浸入した水
Ｗ１  壁面
【図１】
2010170745.tif 000003
【図２】
2010170745.tif 000004
【図３】
2010170745.tif 000005
【図４】
2010170745.tif 000006
【図５】
2010170745.tif 000007
【図６】
2010170745.tif 000008
【図７】
2010170745.tif 000009
【図８】
2010170745.tif 000010
【図９】
2010170745.tif 000011
【図１０】
2010170745.tif 000012
【図１１】
2010170745.tif 000013